(57)【要約】【課題】簡易な構成によって毛髪へのダメージを低減することができるヘアブラシを実現する。【解決手段】ヘアブラシのヘッド部（７０）の長手方向における所定の端部（７７）と、当該ヘッド部（７０）の長手方向における所定の端部（７７）と向き合う、把持部（７２）の長手方向における所定の端部（７３）との間には第１の間隙部（７６）が設けられ、第１の間隙部（７６）の間隙幅が０．２ｍｍ以上である。【選択図】図５
2020031723.tif 000002
【特許請求の範囲】
【請求項１】
ヘッド部と把持部とを備えるヘアブラシであって、
前記ヘッド部の長手方向における所定の端部と、当該ヘッド部の長手方向における所定の端部と向き合う、前記把持部の長手方向における所定の端部との間には、第１の間隙部が設けられ、
前記第１の間隙部の間隙幅が０．２ｍｍ以上であることを特徴とするヘアブラシ。
【請求項２】
前記第１の間隙部の間隙幅が０．７ｍｍ以下であることを特徴とする請求項１に記載のヘアブラシ。
【請求項３】
前記第１の間隙部の間隙幅が０．５ｍｍ以上であることを特徴とする請求項１または２に記載のヘアブラシ。
【請求項４】
前記第１の間隙部が、前記ヘアブラシの全周に亘って設けられていることを特徴とする請求項１から３のいずれか１項に記載のヘアブラシ。
【請求項５】
前記把持部は、前記把持部の長手方向における所定の端部において、前記ヘッド部と当該把持部とが嵌合する嵌合部を備え、
前記嵌合部は、前記第１の間隙部の間隙幅を調整するための調整部を備えていることを特徴とする請求項１から４のいずれか１項に記載のヘアブラシ。
【請求項６】
固定部をさらに備え、
前記固定部は、前記把持部の内部に挿入されることによって、前記ヘッド部と前記把持部とを固定するようになっていることを特徴とする請求項１から５のいずれか１項に記載のヘアブラシ。
【請求項７】
ヘッド部と把持部とを備えるヘアブラシであって、
前記ヘッド部と前記把持部とは、前記ヘアブラシの第１の表面において一体となっており、
前記ヘッド部は、前記第１の表面とは反対側の第２の表面に、毛髪に熱を伝える伝熱体を備え、
前記伝熱体の長手方向における所定の端部と、当該伝熱体の長手方向における所定の端部と向き合う、前記把持部の長手方向における所定の端部との間には、第２の間隙部が設けられ、
前記第２の間隙部の間隙幅が０．２ｍｍ以上であることを特徴とするヘアブラシ。
【請求項８】
前記伝熱体は金属材料から構成されており、前記把持部は樹脂材料から構成されていることを特徴とする請求項７に記載のヘアブラシ。
【発明の詳細な説明】
【技術分野】
【０００１】
本発明は、ヘアブラシ、特に毛髪をセットする電気ヘアブラシに関する。
【背景技術】
【０００２】
従来のヘアスタイリングにおいては、特許文献１から３に示すように、ヘアアイロン、ヘアブラシ、および、ブラシとヘアドライヤーとの併用など、様々な方法が用いられていた。例えば、ヘアアイロンは、まず毛髪を梳き、次いでアイロンによって毛髪を挟み込んでセットする。
【先行技術文献】
【特許文献】
【０００３】
【特許文献１】実用新案登録第３２０６８０８号
【特許文献２】特開２０１３−２４０４３４号
【特許文献３】特開２００７−２２９３１６号
【発明の概要】
【発明が解決しようとする課題】
【０００４】
しかしながら、上述のような従来技術では、例えば、ヘアブラシにおけるブラシ部（ヘッド部）と柄部（把持部）との間に毛髪が入り込んで引っかかることによって、毛髪がヘッド部と把持部との間から抜けなくなるか、または、抜けにくくなることがある。これにより、毛髪へダメージが生じることがある。また、ヘッド部と把持部との間に毛髪が入り込んで引っかかることによって、毛髪がヘッド部と把持部との間から抜けなくなるか、または抜けにくくなることに起因する毛髪へのダメージを軽減しようとする場合、ヘアブラシの構成が複雑になる可能性がある。
【０００５】
本発明は、上記の問題点に鑑みてなされたものであり、その目的は、簡易な構成によって毛髪へのダメージを軽減させることができるヘアブラシを実現することにある。
【課題を解決するための手段】
【０００６】
上記の課題を解決するために、本発明に係るヘアブラシは、ヘッド部と把持部とを備えるヘアブラシであって、前記ヘッド部の長手方向における所定の端部と、当該ヘッド部の長手方向における所定の端部と向き合う、前記把持部の長手方向における所定の端部との間には、第１の間隙部が設けられ、前記第１の間隙部の間隙幅が０．２ｍｍ以上である構成である。
【０００７】
上記の課題を解決するために、本発明に係るヘアブラシは、ヘッド部と把持部とを備えるヘアブラシであって、前記ヘッド部と前記把持部とは、前記ヘアブラシの第１の表面において一体となっており、前記ヘッド部は、前記第１の表面とは反対側の第２の表面に、毛髪に熱を伝える伝熱体を備え、前記伝熱体の長手方向における所定の端部と、当該伝熱体の長手方向における所定の端部と向き合う、前記把持部の長手方向における所定の端部との間には、第２の間隙部が設けられ、前記第２の間隙部の間隙幅が０．２ｍｍ以上である構成である。
【発明の効果】
【０００８】
本発明によれば、簡易な構成によって毛髪へのダメージを軽減させることができるヘアブラシを実現することができる。
【図面の簡単な説明】
【０００９】
【図１】実施形態１に係るヘアブラシの正面図である。
【図２】実施形態１に係るヘアブラシの背面図である。
【図３】（ａ）は実施形態１に係るヘアブラシの側面図であり、（ｂ）は実施形態１に係るヘアブラシの斜視図である。
【図４】実施形態１に係るヘアブラシの六面図である。
【図５】実施形態１に係るヘアブラシにおけるヘッド部と把持部との嵌合方法について説明するための図である。
【図６】実施形態１に係るヘアブラシにおけるヘッド部および把持部を模式的に示す斜視図である。
【図７】実施形態２に係るヘアブラシを模式的に示す斜視図である。
【発明を実施するための形態】
【００１０】
〔実施形態１〕
本発明の実施形態１について、以下に説明する。
【００１１】
本発明に係るヘアブラシの一例の外観模式図を図１〜図６に示す。ここでは、ヘアブラシがヒータ内蔵のヘアブラシ（ヘアブラシアイロンとも称する）である場合について説明する。
【００１２】
図１にヘアブラシの正面図７００を示す（ｘｙ平面）。図２は、ヘアブラシの背面図８００を示す。図３の（ａ）は、ヘアブラシの側面図９００を示す（ｙｚ平面）。図３の（ｂ）は、ヘアブラシの斜視図９１０を示す。図４は、実施形態１に係るヘアブラシの六面図を示す。図４の（ａ）〜（ｆ）はそれぞれ、正面図、背面図、平面図、底面図、左側面図および右側面図を示す。図５は実施形態１に係るヘアブラシにおけるヘッド部７０と把持部７２との嵌合方法について説明するための図である。図６は、実施形態１に係るヘアブラシにおけるヘッド部７０および把持部７２を模式的に示す斜視図９２０である。
【００１３】
実施形態１に係るヘアブラシは、使用者が手で握る部分としての把持部７２と、把持部７２の長手方向における所定の端部７３に連結されたヘッド部７０とを備える。ここでは、ヘッド部７０内に伝熱体４０が配置されており、使用時には把持部７２とヘッド部７０とが略直線状の外観を呈することが好ましい。また、把持部７２とヘッド部７０とが、所定の角度において接続された外観を呈してもよい。ヘッド部７０は、毛髪に熱を伝える伝熱体４０を備え、伝熱体４０は、複数の立ち上がるピン形状（ブリッスル４１、３２および４２）を有する。また、ヘッド部７０は整流板（ガイドリブ）７１を備える。図２および３に示すように、複数の整流板７１が、楕円柱状のヘッド部７０の伝熱体４０以外の面に亘って配置されるのが好ましい。整流板７１により毛髪の進行方向を整えることができるのが好ましい。伝熱体４０は、内側にヒータ（図示せず）が装着されているのが好ましい。伝熱体の材料は、熱伝導性が良好であればよく、例えば、ステンレスおよびアルミニウム合金などの金属であるのが好ましい。他の金属でも伝熱体を構成することができ、上記金属材料に限定されるものではない。
【００１４】
把持部７２の所定の端部７３と対向する他の端部に、電源コード９１が接続される。ヘッド部７０の内部には、ヒータ（図示せず）があるのが好ましい。また、把持部７２内にヒータを包含する構成であってもよく、伝熱体４０には、内側にヒータが装着されているのが好ましい。伝熱体の材質は、熱伝導性が良好であればよい。ブラシ面の形状は、ｘｙ平面において平面であるのが好ましい。ブラシ面の形状は、ｘｚ平面において凸状または凹状であってもよい。
【００１５】
また、図４の（ａ）に示すように、把持部７２は、スイッチ１１０および操作部１２０を備えるのが好ましい。これにより、電源コード９１の先端に備えられたプラグ（図示せず）をコンセントに挿入した上で、把持部７２に設けられたスイッチ１１０を押すことができる。また、操作部１２０によって所望の温度に設定することができる。操作部１２０は、設定温度は特に限定されないが、複数の設定温度の組み合わせの中から、ヒータ（図示せず）の温度を選択できるように構成されていることが好ましい。一例として、操作部１２０は、ヒータの温度を、１００℃、１２０℃、１４０℃、１６０℃、１８０℃、および、２００℃から選択することができるように構成されるのが好ましい。
【００１６】
これにより、ヒータが所望の温度に達した後、手で把持部７２を持ち、ヘッド部７０を毛髪に当てることができる。その結果、伝熱ピンと毛髪とが接触し、毛髪に熱が好適に伝えられる。毛髪が自然冷却すればヘアセットが完了する。
【００１７】
頭髪が濡れた状態において実施形態１に係るヘアブラシアイロンを使用すると、熱せられた伝熱ピンによって頭髪を乾かしながら、セットすることも可能である。操作終了後は、スイッチ１１０を切り、通電を切断すると、ヒータの発熱は止まり、放置するとヘッド部７０が常温まで放熱される。
【００１８】
次に、図５を用いて実施形態１に係るヘアブラシにおけるヘッド部７０と把持部７２との嵌合方法（組み立て方法）について説明する。図５に示すように、ここでは、ヘッド部７０と把持部７２とが別体である場合について説明する。
【００１９】
まず、図５の（ａ）に示すように、ヘッド部７０の長手方向における所定の端部７７と向き合う、把持部７２の長手方向における所定の端部７３に向けて、ヘッド部７０の長手方向における所定の端部７７を近づけていく。
【００２０】
次に、図５の（ｂ）に示すように、ヘッド部７０の挿入部７５を把持部７２の嵌合部７４に差し込む。
【００２１】
次に、図５の（ｃ）に示すように、ヘッド部７０の挿入部７５を把持部７２の嵌合部７４の奥まで差し込む（組み込む）。これにより、ヘッド部７０の所定の端部７７と、把持部７２の所定の端部７３との間に第１の間隙部７６が設けられる。この場合、位置決めリブなどの調整部（図示せず）を嵌合部７４が備えていてもよい。これにより、第１の間隙部７６の間隙幅を好適に調整することができる。
【００２２】
また、把持部７２の嵌合部７４の奥までヘッド部７０の挿入部７５を差し込んだ後、固定部７８によって、ヘッド部７０と把持部７２とが固定するようになっていることが好ましい。固定部７８によるヘッド部７０と把持部７２との固定は、例えば、把持部７２の表面に設けられたねじ穴などから、把持部７２の短手方向に向かって、把持部７２の内部にねじなどの固定部７８が挿入されることによって行なわれる。この場合、ねじ穴を深くすることによってねじ締めした後に、図５の（ｃ）に示すように、ねじなどの固定部７８が把持部７２の内部に挿入されることで、当該固定部７８に指先が触れにくくなる。これにより、ヘッド部７０に設けられたヒータの影響により、固定部７８が熱くなった場合でも、熱くなった固定部７８に指先が触れにくくなる。
【００２３】
実施形態１に係るヘアブラシにおけるヘッド部７０の所定の端部７７と把持部７２の所定の端部７３との間に設けられる第１の間隙部７６の間隙幅は、０．２ｍｍ以上である。
【００２４】
ここで、従来のヘアブラシでは、ヘッド部の長手方向における所定の端部と、当該ヘッド部の長手方向における所定の端部と向き合う、把持部の長手方向における所定の端部との間に別部品を設けていた。そして、当該ヘッド部の所定の端部と、当該ヘッドの所定の端部と向き合う、別部品の長手方向における所定の端部とをヘアブラシの長手方向に沿ってねじ止め、きつく締め付けていた。これにより、ヘッド部と把持部との長手方向の間に毛髪が入り込む間隙が生じにくくなり、毛髪が入り込んで引っかかることによって、毛髪がヘッド部と把持部との間から抜けなくなったり、抜けにくくなったりすることを防いでいた。しかしながら、別部品を当該ヘッド部の所定の端部と、当該把持部の所定の端部との間に設けた場合、ヘッド部の所定の端部と把持部の所定の端部との間に別部品を設けるために、ヘアブラシの構成が複雑になるという問題があった。また、別部品を設けるために、ヘアブラシの製造工程が増え、ヘアブラシの生産効率が低下するという問題があった。
【００２５】
これに対し、実施形態１に係るヘアブラシでは、図４の六面図に示すように、ヘッド部７０の外周面と、把持部７２の外周面とが略一致している。そのため、別部品を設けない場合、ヘッド部７０の所定の端部７７と、把持部７２の所定の端部７３とを、ヘアブラシの長手方向に沿ってねじ止めすることができない。また、上述したように、把持部７２の表面に設けられたねじ穴などから、把持部７２の短手方向に向かって、把持部７２の内部にねじなどの固定部７８が挿入されることによって、ヘッド部７０と把持部７２とを固定すると、ヘアブラシの長手方向に沿って固定する力が働かない。そのため、ヘアブラシの長手方向にはきつく固定することが難しく、間隙が生じてしまう。
【００２６】
そこで、実施形態１に係るヘアブラシでは、第１の間隙部７６の間隙幅が０．２ｍｍ以上とし、当該間隙幅が狭すぎないようにしている。これにより、ヘアブラシアイロンによって毛髪をセットしている際に、第１の間隙部７６に毛髪が入り込んで引っかかることによって、毛髪が第１の間隙部７６から抜けなくなったり、抜けにくくなったりする可能性を低減させることができる。また、ヘアブラシの使用性が低減することを防ぐことができる。換言すれば、ヘアブラシの使用性を向上させることができる。
【００２７】
また、単にヘッド部７０の所定の端部７７と、把持部７２の所定の端部７３との間に所定の間隙幅を有する第１の間隙部７６を設けるだけでよいため、別部品を設ける必要がない。このことから、実施形態１に係るヘアブラシによれば、簡易な構成によって毛髪へのダメージを軽減させることができる。また、当該ヘアブラシは簡易な構成であり、別部品を設ける必要がないため、ヘアブラシの生産効率を向上させることができる。特に、ヘッド部７０の所定の端部７７と、把持部７２の所定の端部７３とを直接連結（嵌合）させることによって第１の間隙部７６を設ける場合、ヘアブラシの生産効率を向上させることができる。
【００２８】
また、第１の間隙部７６の間隙幅は、０．７ｍｍ以下であることが好ましい。第１の間隙部７６の間隙幅が０．７ｍｍ以下であることによって、第１の間隙部７６が目立ちすぎず、美観性が損なわれるのを防ぐことができる。
【００２９】
また、第１の間隙部７６の間隙幅は、０．５ｍｍ以上であることが好ましい。第１の間隙部７６の間隙幅が０．５ｍｍ以上であることによって、第１の間隙部７６に毛髪が入り込んだ場合でも、第１の間隙部７６から毛髪がより抜けやすくなるため、毛髪へのダメージをより軽減させることができる。
【００３０】
次に、図６を用いて、実施形態１に係るヘアブラシにおけるヘッド部７０および把持部７２をより詳細に説明する。図６に示すように、ここではヘアブラシが円筒状である場合について説明する。
【００３１】
図６に示すように、ヘッド部７０の外周面と、把持部７２の外周面とが略一致しており、第１の間隙部７６は、例えば、ヘアブラシの円筒の全周に亘って設けられる。ここでは、０．２ｍｍ以上の間隙幅を有する第１の間隙部７６が、ヘッド部７０と把持部７２との接続部位の全周に亘って設けられるように、ヘッド部７０と把持部７２とが接続され、固定されている。これにより、ヘッド部７０と把持部７２との接続部位のいずれの位置に毛髪が入り込んだ場合でも、当該接続部位が０．２ｍｍ以上の間隙幅を有する第１の間隙部７６であるため、第１の間隙部７６から毛髪が抜けなくなる可能性をより低減させることができる。その結果、毛髪へのダメージをより軽減させることができる。
【００３２】
また、伝熱体４０は金属材料から構成されており、把持部７２は樹脂材料から構成されていてもよい。例えば、図６では、伝熱体４０は金属材料から構成されており、ヘッド部７０のうち、伝熱体４０を除く部分および把持部７２は樹脂材料から構成されている。この場合、伝熱体４０の長手方向（ｙ軸方向）における金属材料から構成されている所定の端部７７と、把持部７２の長手方向（ｙ軸方向）における樹脂材料から構成されている所定の端部７３とが接続されることになる。
【００３３】
ここで、ヘッド部７０のうち、伝熱体４０を除く部分の長手方向における所定の端部７７と、把持部７２の長手方向における第１の表面７２ａ側の所定の端部７３とは、共に樹脂材料である。そのため、例えば、これらの端部を同じ樹脂材料同士から構成することによって、隙間なしにこれらの端部を接続させることができる。
【００３４】
しかしながら、伝熱体４０における、金属材料から構成されている所定の端部７７と、把持部７２の第２の表面７２ｂ側における、樹脂材料から構成されている所定の端部７３とは、互いに異なる材料から構成されている。そのため、隙間なしにこれらの端部を接続させることは容易ではない。ここで、例えば、これらの端部の間に０．２ｍｍ未満の微小な間隙幅を有する隙間が存在しており、当該隙間に毛髪が入り込んだとする。この場合、毛髪が隙間に引っかかったり隙間から抜けなくなったりすることによって毛髪が切れてしまうなど、毛髪へダメージが生じる可能性がある。
【００３５】
これに対し、本実施形態では、伝熱体４０の所定の端部７７と、把持部７２の少なくとも第２の表面７２ｂ側の所定の端部７３との間には０．２ｍｍ以上の間隙幅を有する第１の間隙部７６が設けられている。これにより、第１の間隙部７６に毛髪が入り込んだ場合でも、第１の間隙部７６から毛髪が抜けやすくなるため、毛髪へのダメージを軽減させることができる。
【００３６】
〔実施形態２〕
実施形態１に係るヘアブラシでは、ヘッド部７０と把持部７２とは完全に別体となっている。ただし、実施形態２に係るヘアブラシのように、ヘッド部１７０と把持部１７２とは、ヘアブラシの背面において一体となっており、伝熱体１４０のみが別体となっていてもよい。
【００３７】
以下、実施形態２に係るヘアブラシについて図７を用いて説明する。なお、説明の便宜上、実施形態１にて説明した部材と同じ機能を有する部材については、同じ符号を付記し、その説明を省略する。
【００３８】
図７は、実施形態２に係るヘアブラシを模式的に示す斜視図９３０である。実施形態２に係るヘアブラシでは、ヘッド部１７０と把持部１７２とが、ヘアブラシの背面（第１の表面９１０ａ）において一体となっており（一体成型されており）、伝熱体１４０のみが別体となっている。また、伝熱体１４０は、ヘッド部１７０の前面（第１の表面９１０ａとは反対側の第２の表面９１０ｂ）に備えられている。このように、ヘアブラシは、伝熱体１４０のみが別体であるため、より美観性に優れる。
【００３９】
ここで、伝熱体１４０の長手方向における所定の端部１７７と、所定の端部１７７と向き合う、把持部１７２の長手方向における所定の端部１７３との間には、０．２ｍｍ以上の間隙幅を有する第２の間隙部１７６が設けられている。このように、第２の間隙部１７６の間隙幅は狭すぎない。そのため、ヘアブラシアイロンによって毛髪をセットしている際に、第２の間隙部１７６に毛髪が入り込んで引っかかることによって、毛髪がヘッド部と把持部との間から抜けなくなったり、抜けにくくなったりする可能性を低減させることができる。また、ヘアブラシの使用性が低減することを防ぐことができる。換言すれば、ヘアブラシの使用性を向上させることができる。
【００４０】
また、第２の間隙部１７６の間隙幅は、０．７ｍｍ以下であることが好ましい。第２の間隙部１７６の間隙幅が０．７ｍｍ以下であることによって、第２の間隙部１７６が目立ちすぎず、美観性が損なわれるのを防ぐことができる。
【００４１】
また、第２の間隙部１７６の間隙幅は、０．５ｍｍ以上であることが好ましい。第２の間隙部１７６の間隙幅が０．５ｍｍ以上であることによって、第２の間隙部１７６に毛髪が入り込んだ場合でも、第２の間隙部１７６から毛髪がより抜けやすくなるため、毛髪へのダメージをより軽減させることができる。
【００４２】
〔まとめ〕
本発明の態様１に係るヘアブラシは、ヘッド部と把持部とを備えるヘアブラシであって、前記ヘッド部の長手方向における所定の端部と、当該ヘッド部の長手方向における所定の端部と向き合う、前記把持部の長手方向における所定の端部との間には、第１の間隙部が設けられ、前記第１の間隙部の間隙幅が０．２ｍｍ以上である。
【００４３】
本発明の態様２に係るヘアブラシは、上記態様１において、前記第１の間隙部の間隙幅が０．７ｍｍ以下であってもよい。
【００４４】
本発明の態様３に係るヘアブラシは、上記態様１または２において、前記第１の間隙部の間隙幅が０．５ｍｍ以上であってもよい。
【００４５】
本発明の態様４に係るヘアブラシは、上記態様１から３のいずれかにおいて、前記第１の間隙部が、前記ヘアブラシの全周に亘って設けられていてもよい。
【００４６】
本発明の態様５に係るヘアブラシは、上記態様１から４のいずれかにおいて、前記把持部は、前記把持部の長手方向における所定の端部において、前記ヘッド部と当該把持部とが嵌合する嵌合部を備え、前記嵌合部は、前記第１の間隙部の間隙幅を調整するための調整部を備えていてもよい。
【００４７】
本発明の態様６に係るヘアブラシは、上記態様１から５のいずれかにおいて、固定部をさらに備え、前記固定部は、前記把持部の内部に挿入されることによって、前記ヘッド部と前記把持部とを固定するようになっていてもよい。
【００４８】
本発明の態様７に係るヘアブラシは、ヘッド部と把持部とを備えるヘアブラシであって、前記ヘッド部と前記把持部とは、前記ヘアブラシの第１の表面において一体となっており、前記ヘッド部は、前記第１の表面とは反対側の第２の表面に、毛髪に熱を伝える伝熱体を備え、前記伝熱体の長手方向における所定の端部と、当該伝熱体の長手方向における所定の端部と向き合う、前記把持部の長手方向における所定の端部との間には、第２の間隙部が設けられ、前記第２の間隙部の間隙幅が０．２ｍｍ以上である。
【００４９】
本発明の態様８に係るヘアブラシは、上記態様７において、前記伝熱体は金属材料から構成されており、前記把持部は樹脂材料から構成されていてもよい。
【００５０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５１】
３２、４１、４２  ブリッスル
４０、１４０  伝熱体
７０、１７０  ヘッド部
７１  整流板
７２、１７２  把持部
７３、７７、１７３、１７７  所定の端部
７４  嵌合部
７５  挿入部
７６  第１の間隙部
７８  固定部
９１  電源コード
７０ａ、７２ａ、９１０ａ  第１の表面
７０ｂ、７２ｂ、９１０ｂ  第２の表面
１７６  第２の間隙部
【図１】
2020031723.tif 000003
【図２】
2020031723.tif 000004
【図３】
2020031723.tif 000005
【図４】
2020031723.tif 000006
【図５】
2020031723.tif 000007
【図６】
2020031723.tif 000008
【図７】
2020031723.tif 000009